(57)【要約】【課題】  タブをより小さな力で老若男女誰にでも簡単に引き起こすことができ、且づ、所定の大きさに容易に開口することができる缶蓋を提供することにある。【解決手段】  タブ（２）の取付片（２０）の蓋板側基端部（２０ｂ）とタブ側基端部（２２ｅ）との間にタブ先端移動調節部を形成し、これにより、タブ操作部（２１）を指の爪先で容易に引き起こすことができ、指先がタブ（２）に十分に掛かるところで静止することができるようにする。【選択図】          図１
2006225032.tif 000002
【特許請求の範囲】
【請求項１】
蓋板（１２）に折り曲げ可能な取付片（２０）を介して取付けたタブ（２）を、タブ後部の操作部（２１）を引き起こして取付片（２０）を支点として回動させ、タブ前部の第一突出部（２３）を開口部（１１）の側面部の破断部（１０ｄ）まで後退移動させ、均衡状態となって最大の押圧力がより集中された第一突出部（２３）で、該破断部（１０ｄ）を押圧して開口部（１１）の側面部より切断しつつ缶本体内に折込み、そのままの状態で開口部（１１）の開口を完了する缶蓋において、
前記取付片（２０）の蓋板側基端部（２０ｂ）とタブ側基端部（２０ｅ）との間に、タブ操作部（２１）を引き起こしたとき、タブがある程度回動し、かつ前記第一突出部（２３）が破断部（１０ｄ）方向に後退移動した後に、破断部（１０ｄ）の初期切断が行なわれるようにする長さ領域のタブ先端移動調節部（２０ｄ）を形成したことを特徴とする缶蓋。
【請求項２】
請求項１記載の缶蓋において、タブ基端部（２０ｅ）から操作部方向に折り曲げ曲線部（２０ｃ）を設け、該曲線部（２０ｃ）より蓋板側基端部（２０ｂ）に略傾斜状に前記タブ先端移動調節部（２０ｄ）を形成したことを特徴とする缶蓋。
【請求項３】
請求項１乃至請求項２に記載の缶蓋において、前記タブ先端移動調節部（２０ｄ）は、その蓋板側基端部（２０ｂ）からタブ側基端部（２０ｅ）までの長さの寸法を、タブ側基端部（２０ｅ）からタブ前部の第一突出部（２３）までの寸法より短くし、先端突出部の押圧力が最大で均衡状態となるよう、かつ、後退移動距離を調節することができるようにしたことを特徴とする缶蓋。
【請求項４】
請求項１乃至請求項３記載の缶蓋において、蓋板と接触する前記押圧部（２２）の第一突出部（２３）及び第二突出部（２４）を、断面逆凹状に形成し、第二突出部（２４）を第一突出部（２３）よりも長く形成したことを特徴とする缶蓋。
【請求項５】
請求項１乃至請求項４の何れかに記載の缶蓋において、前記両先端突出部（２３，２４）のうち、第一突出部（２３）の一点に、押圧力がより集中するよう、また、タブの引き起こしがし易いよう前記タブ側基端部（２０ｅ）に、中心線Ｌより第二突出部（２４）側全部を破断する子孔（２０ｆ）を形成し、第二突出部（２４）に掛かる押圧力及び折り曲げ応力の減少部を設けたことを特徴とする缶蓋。
【請求項６】
請求項１乃至請求項５の何れかに記載の缶蓋において、前記破断部（１０ｄ）は、蓋板（１２）に刻印された切れ目線（１０）により形成され、該切れ目線は、タブ（２）が引き起こされる前は押圧部（２２）の第一突出部（２３）が切れ目線の曲線部（１０ｅ）の前方内側に位置するよう形成され、且つ、タブ（２）が引き起こされ均衡状態になったとき、該第一突出部（２３）が前記破断部（１０ｄ）の真上か、内側近傍に後退移動する位置に形成されていることを特徴とする缶蓋。
【請求項７】
請求項１乃至請求項６の何れかに記載の缶蓋において、前記蓋板（１２）に、蓋板（１２）を補強するための凸状のエンボス（１２ａ），（１２ｂ），（１２ｃ），及び第一突出部（２３）が破断部（１０ｄ）まで正確に後退移動ができるよう、第二突出部（２４）の位置決め用の凹状溝部（１３）を形成したことを特徴とする缶蓋。
【請求項８】
請求項１乃至請求項７の何れかに記載の缶蓋において、前記開口部（１１）に、前記押圧部（２２）の第二突出部（２４）と係合し、タブ先端の後退移動を蓋板（１２）の第一中心線（Ｌ）に沿って平行に案内する凹状の溝部（１３）をガイド手段として設け、且つ前記押圧部（２２）が後退移動した後の第一突出部（２３）先端の近傍の切れ目線の破断部（１０ｄ）を、第一中心線（Ｌ）に対し一部平行な直線状に形成したことを特徴とした缶蓋。
【請求項９】
請求項１乃至請求項８の何れかに記載の缶蓋において、前記タブの両先端突出部（２３，２４）に、タブ（２）を引き起こし押圧したときのタブ先端逆凹状の変形を防止する為、内側に第一突出部補強部（２３ａ）と内側に第二突出部補強部（２４ａ）を共に一体に形成したこを特徴とする缶蓋。
【請求項１０】
請求項１乃至請求項９の何れかに記載の缶蓋において、前記開口部（１１）を形成している切れ目線（１０）の破断部（１０ｄ）に続く終端部（１０ｆ）を、加締部（１４）の中心線（Ｎ）の後方に位置するよう形成したことを特徴とする缶蓋。
【請求項１１】
請求項１乃至請求項１０の何れかに記載の缶蓋において、前記切れ目線（１０）の曲線部（１０ｂ）に続く湾曲線部（１０ｇ）は、タブ（２）の側面より離れて、かつ加締部（１４）の中心線（Ｎ）より後方に位置し、常に空気の出入り口が、口で塞がれることの無いように形成したことを特徴とする缶蓋。
【請求項１２】
請求項１乃至請求項１１の何れかに記載の缶蓋において、前記切れ目線（１０）の湾曲線部（１０ｇ）に続く最終端部（１０ｈ）は、湾曲線部（１０ｇ）より加締部（１４）の方向に近く、開口部（１１）を缶本体内に折り込む折込溝（１０ｓ）を介し、終端部（１０ｆ）と直線状に結べるように位置するよう形成したことを特徴とする缶蓋。
【請求項１３】
請求項１乃至請求項１２の何れかに記載の缶蓋において、前記開口部（１１）とタブ（２）は、加締部（１４）の後方より缶本体内に折り込まれたままの状態で開口が完了されるため、タブ（２）の操作部（２１）が飲み口で邪魔にならない範囲内に、タブ操作部（２１）の長さを短く形成したことを特徴とする缶蓋。
【発明の詳細な説明】
【発明の詳細な説明】
【技術分野】
【０００１】  本発明は、コーヒー、コーラ、ビール等の飲料缶の易開封式の缶蓋（イージーオープンエンド）に関するものである。
【背景技術】
【０００２】  従来、コーヒー、コーラ、ビール等の飲料缶の缶蓋は、タブ機構による易開封な缶蓋（イージーオープンエンド）として構成されている。【０００３】  飲料缶のイージーオープンエンドは、スティオンタブ方式が殆どで、タブが蓋板の中心に固着されており、この固着部前方からタブ先端の押圧部方向に向けて蓋板に切れ目線により破断部が形成されている。タブ後方の操作部を引き起こすことにより固着部前部に刻印された切れ目線が、タブ加締部とタブ前部の押圧部によって切断される。引き続きタブを垂直に引き起こすことにより切れ目線は順次切り裂かれ、開口片は缶本体内に折り込まれて缶が開口され、次いでタブが再度元の位置に折り戻されて開封が完了するものである。
【発明が解決しようとする課題】
【０００４】  ところで、ステイオンタブ方式の問題点は、開口片を形成する切れ目線を初期切断（ポップ）するためにタブが引き起こされて回動する際、指先を蓋板とタブの操作部下部に差し込むための遊びが無く、即ちタブを引き起こすその時点から切れ目線を切断するようになっているため、丁度蓋板に密着した板バネを引き起こすことに似ており、タブの操作部の下部に指の爪先を入れてタブを起こすには、爪先にとっては大きな力の負担で、特に高齢者や指先に傷害のある人には開口ができないとゆう点にある。この事実は折々報道されており、またそのためタブ引き起こし用の様々なオープナーが市販されており、本来望まれているバリアフリー、つまり誰でも簡単に指先で開口することができるとゆう域に達していないのが現状である。
【０００５】  そこで、より小さな力で老若男女誰にでも簡単にタブを片手で引き起こすことができるいわゆるバリアフリーの缶蓋、特に飲み口も必要に応じて様々な所定の大きさに開口することができ、飲みやすく安全なユニバーサルデザインのイージーオープンエンドの缶蓋が望まれる。
【０００６】  本発明は、このような事情に鑑みなされたものであり、その目的は、タブをより小さな力で老若男女誰にでも簡単に引き起こす事ができ、且つ、所定の大きさに容易に開口することができ、しかも飲みやすいユニバーサルデザインの缶蓋を提供することにある。
【課題を解決する手段】
【０００７】  上記目的を達成するため、本発明の缶蓋は、次のように構成したものである。
請求項１に記載の発明は、蓋板（１２）に折り曲げ可能な取付片（２０）を介して取り付けたタブ（２）を、タブ後部の操作部（２１）を引き起こして取付片（２０）を支点として回動させ、タブ前部の第一突出部（２３）を蓋板の破断部（１０ｄ）まで後退移動させ、該破断部（１０ｄ）を押圧して開口部（１１）の側面部より切断しつつ缶本体内に折込み、次いで、タブを垂直に引き起こし中心部以後まで開口し、かつタブ取付片（２０）部分までを缶蓋上部から缶内に折り込ませて開口部（１１）の開口を行い、タブを再び缶蓋上面に戻す事無く、そのままで開口を完了するタイプの缶蓋において、
前記取付片（２０）の蓋板側基端部（２０ｂ）とタブ側基端部（２０ｅ）との間に、タブ操作部（２１）を引き起こしたとき、タブがある程度回動し、かつ前記押圧部（２２）の第一突出部（２３）が破断部（１０ｄ）方向に後退移動した後に、最大の押圧力で均衡状態になり、破断部（１０ｄ）の初期切断が行なわれるようにする長さ領域のタブ先端移動調節部（２０ｄ）を形成したことを特徴としたものである。
これにより、タブ操作部（２１）を指の爪先で容易に引き起こす事が出来、指先がタブ（２）に十分に掛かる所で静止することができる。
【０００８】  本発明の缶蓋のイージーオープンエンドは、小指の爪先に掛けられる位のわずかな力でタブ（２）の操作部（２１）を引き起こすことができ、かつ操作部を引き起こした後、操作部の下側に十分指先が掛けられる状態で静止することができる。
一方開口部（１１）もタブ周囲の前後左右に大きく開口されることが好ましく、また、輸送時等で蓋上部への圧力で簡単に開口されないことが要請されるが、これも十分に満たされる。
【０００９】  蓋板（１２）に折り曲げ可能な取付片（２０）を介して取り付けられているタブ（２）を、タブ後方の操作部（２１）を引き起こして取付片（２０）を支点として回動させ、タブ前部の第一突出部（２３）で開口部（１１）の側面破断部（１０ｄ）を押圧して開口部（１１）の開口を行なうイージーオープンエンドを前提とし、まず、前記取付片（２０）の蓋側固着部（２０ａ）とタブ側固着部（２０ｅ）との間にタブ先端移動調節部（２０ｄ）を設け、これによりタブ（２）を引き起こしたときタブ（２）が回動して押圧部が操作部方向に後退移動し、移動後、破断部（１０ｄ）の切断が行なわれるようにすると共に、タブ操作部（２１）を指の爪先で容易に引き起こすことができ、指先がタブ（２）に十分に掛かるところで静止することができるようにする（請求項１）。
【００１０】  また、前記取付片（２０）のタブ先端移動調節部（２０ｄ）は、タブ側基端部（２０ｅ）から操作部方向に折り曲げ曲線部（２０ｃ）を設け、該曲線部（２０ｃ）より蓋板側基端部（２０ｂ）に略傾斜状に前記タブ先端移動調節部（２０ｄ）を形成する。即ち、断面クランク状に形成することが好ましい（請求項２）。
【００１１】  これにより、指の爪先でもタブ操作部（２１）を引き起こすことができ、爪先を操作部から外しても元に戻ることも無く、そのままの状態で静止する事ができる。
【００１２】  また、前記タブ先端移動調節部（２０ｄ）は、その蓋板側基端部（２０ｂ）からタブ側基端部（２０ｅ）までの長さの寸法を、タブ側基端部（２０ｅ）から蓋板と接触するタブ前部の第一突出部（２３）までの寸法より常に短くし、最大の押圧力での均衡状態と後退移動距離を調節することができるように形成することが好ましい（請求項３）。
【００１３】  また、蓋板と接触する前記押圧部（２２）の第一突出部（２３）及び第二突出部（２４）を、断面逆凹状に形成し、第二突出部（２４）を第一突出部（２３）よりも下方に向け長く形成することが好ましい（請求項４）。
【００１４】  また、前記両先端突出部（２３，２４）のうち、第一突出部（２３）の一点に押圧力がより集中し、タブの引き越しがし易いよう前記タブ側基端部（２０ｅ）に、中心線Ｌより第二突出部（２４）側全部を破断する子孔（２０ｆ）を形成し、第二突出部（２４）に掛かる押圧力及び引き起こし応力の減少部を設けることが好ましい（請求項５）。
【００１５】  また、前記破断部（１０ｄ）は、蓋板（１２）に刻印された切れ目線（１０）により形成され、該切れ目線は、タブ（２）が引き起こされる前は押圧部（２２）の第一突出部（２３）が切れ目線の曲線部（１０ｅ）の前方内側に位置するように形成され、且つ、タブ（２）が引き起こされたとき、該第一突出部（２３）が前記破断部（１０ｄ）の真上か又はその内側近傍に後退移動する位置に形成されていることが好ましい（請求項６）。
【００１６】  また、前記蓋板（１２）及び開口部（１１）に、蓋板（１２）を補強するための凸状のエンボス（１２ａ），（１２ｂ），（１２ｃ）を形成することが好ましい（請求項７）。
【００１７】  また、前記蓋板（１２）の開口部（１１）に、前記タブの第一突出部（２３）が、切れ目線の破断部（１０ｄ）まで正確に後退移動することができるよう、操作部方向に、第二突出部（２４）を案内するガイド手段として凹状の溝部（１３）を設けることが好ましい（請求項７）。
【００１８】  また、前記開口部（１１）に、前記押圧部（２２）の第二突出部（２４）と係合し、タブ先端の後退移動を蓋板（１２）の第一中心線（Ｌ）に沿って平行に案内する凹状のガイド溝部（１３）を設け、且つ前記押圧部（２２）が後退移動した後の第一突出部（２３）の近傍の切れ目線の破断部（１０ｄ）を、第一中心線（Ｌ）に対し一部平行な直線状に形成することが好ましい（請求項８）。
【００１９】  また、前記タブの両先端突出部（２３，２４）に、タブ（２）を引き起こし押圧したときのタブ先端逆凹状の変形を防止する為、内側第一突出部補強部（２３ａ）と内側第二突出部補強部（２４ａ）を共に一体に形成することが好ましい（請求項９）。
【００２０】  また、前記開口部（１１）を形成している切れ目線（１０）の終端部（１０ｆ）は、破断部（１０ｄ）を初期切断し、タブ（２）を引き起こし開口部（１１）全体を缶内に折り込むときの支点となるよう、加締部（１４）の中心線（Ｎ）の後方の位置に形成されていることが好ましい（請求項１０）。
【００２１】  また、前記切れ目線（１０）の曲線部（１０ｂ）に続く湾曲線部（１０ｇ）は、タブ（２）の側面より離れて加締部（１４）の中心線（Ｎ）より後方に位置し、空気の出入口が、口で塞がれることの無いように形成することが好ましい（請求項１１）。
【００２２】  また、前記切れ目線（１０）の湾曲線部（１０ｇ）に続く最終端部（１０ｈ）は、湾曲線部（１０ｇ）より加締部（１４）の方向に近く、開口部（１１）を缶本体内に折り込む折込溝（１０ｓ）を介し、終端部（１０ｆ）と直線に結び折り込める位置に形成することが好ましい（請求項１２）。
【００２３】  また、前記開口部（１１）とタブ（２）は、加締部（１４）の後方より缶本体内に折り込まれたまま開口を完了されるため、タブ（２）の操作部（２１）が飲み口に邪魔にならない範囲に操作部（２１）の長さを短く形成することが好ましい（請求項１３）。
【００２４】  このように、本発明の缶蓋の開口の特徴として、タブ（２）は破断部（１０ｄ）の初期切断を行なう前にある程度回動するため、破断部（１０ｄ）の初期切断の際にはタブの操作部（２１）は引き起こされ静止した状態になっている。この段階まではタブ（２）を引き起こすための力は軽く爪先で引き起こすことが可能である。
【００２５】  次に、破断部（１０ｄ）の初期切断をする際には、タブ（２）の操作部（２１）は引き起こされて静止した状態であるため、タブ（２）の操作部の下に爪先に代えて、指先を入れられ又は掛けられるので、破断部（１０ｄ）の初期切断が容易となる。従って、比較的小さな力で誰にでもバリアフリーに簡単に缶の開封を行なうことができる。
【００２６】  更に、前記破断部（１０ｄ）を形成する切れ目線（１０）を、タブ（２）が引き起こされる前は押圧部（２２）の第一突出部（２３）が切れ目線（１０）の前部の内側に位置し、且つ、タブ（２）が引き起こされたときにのみ第一突出部（２３）が切れ目線（１０ｄ）の真上か又はその近傍に後退移動する位置になるように設けているので、缶を落とした場合等、不慮にタブ（２）に圧力が掛かりその結果開口部（１１）の一部が切断されて缶が開口されてしまうとゆう心配もない。
【００２７】  更にまた、破断部（１０ｄ）にタブ先端の移動を押圧部から操作部の方向に沿って容易に案内するガイド手段を設けることにより、突出部先端の正確な後退移動の位置決めを確実に行なえる。
【発明を実施するための最良の形態】
【００２８】  以下、本発明の実施の形態を添付図面に基ずいて詳述する。
図１乃至図１５に本発明の実施形態を示す。これは、飲料用の缶蓋へ本発明を適応した、その一例である。
図１及び図２において、１は缶蓋を示し、この缶蓋１はコーヒー、コーラ、ビール等の飲料を収容する缶本体３に固着されるものであり、缶本体３と同じ材料、例えばアルミ、ブリキ鋼板等の薄板により形成されている。缶蓋１は、缶本体３の上部開口部を閉塞すると共に、切れ目線１０により形成された開口されるべき領域を閉塞する開口部１１を有する蓋板１２と、その蓋板１２の中央のタブ加締部１４に取付けた薄板から成るタブ２が取付片２０を介して蓋板１２に取付けられており、タブ２を引き起こし押圧部２２で開口部１１を押圧して缶蓋１２から開口部１１を切断しつつ缶本体内に折り込み、缶の開口を行なうステイオンタブ方式の缶蓋である。
缶蓋１は、周縁部が缶本体３の開口部に巻き締めされて固着される。【００２９】＜蓋板１２＞
図１、図３及び図４に示すように、蓋板１２の開口部１１は、蓋板１２の中心をほぼ含むように略Ｕ字状に刻印された切れ目線１０により形成されており、この開口部１１の領域内において、蓋板１２の第一中心線Ｌの中心部には、上記タブ２の取付片２０を蓋板１２に取付けるタブ加締部１４が形成されている。
図３及び図４に示すように、開口部１１の切れ目線１０は、１０ａ，１０ｂ，１０ｃ，１０ｄ，１０ｅ，１０ｆ，１０ｇ，１０ｈで示す線より成る。
また、蓋板１２及び開口部１１の補強のための凸状のエンボス１２ａ，１２ｂ，１２ｃが形成され、また、タブ押圧部２２の先端突出部２４の位置決めをするための凹状のガイド用の溝部１３が形成されている。【００３０】＜タブ２＞
タブ２は、図１０乃至図１５に示すように、開口部１１を押圧して缶蓋１２から切断して缶本体内に折り込むものである。
図３及び図５乃至図９にタブ２の構造を示す。タブ２は、図５に示すように短形に形成されている。また、タブ加締部１４の後方側でタブ２の引き起こしを行なうタブ操作部２１が形成されていると共に、他方の先端部には、タブ加締部１４より開口部１１を押圧して切断するための押圧部２２が形成されている。【００３１】  押圧部２２の先端は、図７に示すように、幅方向が断面逆凹状に成形されている。即ち、幅方向両端部が下方（蓋板１２方向）に突出して突出部２３，２４として形成され、押圧部２２が開口部１１の（図４参照）を押圧するとき、先ずこれら突出部２３，２４が開口部１１と接触（図３参照）するようになっている。更に、押圧部２２の第一突出部２３及び第二突出部２４には開口部１１を押圧し、切断するとき、突出部２３に押圧力が一点により集中するように、タブ側基端部２０ｅに、中心線Ｌより突出部２４側全部を破断する子孔２０ｆを設け（図５参照）、突出部２４側への押圧力が小さく制限されるよう形成されている。また、開口部１１を押圧、切断するとき変形を防止すべく、それぞれ押圧部２２より延伸した突出部補強部２３ａ及び２４ａ（図７参照）が形成されている。【００３２】  前記第一突出部補強部２３ａは、図３に示すように、第一突出部２３が開口部１１の切れ目線１０ｄ（図４参照）を切断する際の変形を防止するものであって、また、前記第二突出部２４の先端は下方に向かって第一突出部２３よりも長く形成されている。【００３３】＜取付片２０＞
取付片２０は、蓋板１２面にほぼ平行に密着するように配置され、且つ、加締部１４によって蓋板１２に固定される蓋板固着部２０ａ（図６参照）と、その蓋板側固着部２０ａの基端部２０ｂからタブ側に延在されタブ側基端部２０ｅに連結されたタブ先端移動調節部２０ｄとからなる。２０ｃはタブ基端部２０ｅの折り曲げ曲線部を示す。このタブ先端移動調節部２０ｄは、タブ２の操作部２１を蓋板１２から引き起こしたとき、タブ２がある程度回動し、且つ、先端の押圧部２２が後退移動した後に、最大の押圧力で均衡状態となり、破断部１０ｄの初期切断が行なわれるようにするタブ移動調節用を営む長さを有している。【００３４】  取付片２０、特にタブ先端移動調節部２０ｄは、操作部２１をわずかな力で軽く引き起こすことができるようにするため、また引き起こし後そのまま静止した状態を保つことができるようにするため、折り曲げ曲線部２０ｃをタブ側基端部２０ｅより操作部２１方向に離して設け、該曲線部２０Ｃより蓋板側基端部２０ｂへかけて緩やかな略傾斜状をなすように形成されており、この構成によって、タブ２を回動可能とすると共にこの回動の際に遊びをもつようにしている。即ち、操作部２１を引き起こすとき、タブ２がある程度回動して押圧部２２が後退移動した後に破断部１０ｄの初期切断を行なうものであり、タブ先端移動調節部２０ｄの長さを任意に調節可能に構成され、これにより回動の遊びや押圧部２２の長さ及び後退移動距離を可変することが可能となる。【００３５】  具体的には、取付片２０は、図１１に示すように、蓋板基端部２０ｂとタブ先端移動調節部２０ｄとにより、即ち、取付片２０が蓋板側基端部２０ｂとタブ基端部２０ｅとで折れ曲がるように形成されている。【００３６】  更に、タブ側基端部２０ｅから蓋板側基端部２０ｂを直線と曲線部２０ｃから緩い略傾斜状に形成されて連結しているタブ先端移動調節部２０ｄの長さは、取付片２０の折れ曲がるタブ側基端部２０ｅから先端突出部２３までの寸法より常に短く形成されている。【００３７】  図１１に示すように、タブ２の操作部２１を引き起こすことにより、取付片２０は蓋板側基端部２０ｂとタブ側基端部２０ｅとで断面クランク状に折れ曲がり、タブ第一突出部２３は後退移動し、この時のクランク状態は均衡になった状態を示しており、更に、図１２に示すように、タブ２の操作部２１を引き起こすことにより、第一突出部２３は均衡状態のため後退移動ができず、この時最も強い押圧力を示しており、蓋板側基端部２０ｂを支点として蓋板１２の上面から下方向かって押し下げられ、この時タブ側基端部２０ｅに掛かる押圧力は、小孔（２０ｆ）を介して中心線Ｌより第一突出部２３側に、より集中し、開口部１１を押圧して切れ目線１０ｄの初期切断が容易に行なわれるように構成されている。【００３８】  開口部１１は、図１及び図４に示すように、蓋板１２面上に刻印された切れ目線１０によって形成され、この切れ目線１０は、押圧部２２で開口部１１を押圧したとき破断部１０ｄが切断可能な断面Ｕ字状やＶ字状等の溝によって形成され、切れ目線１０の曲線部１０ａは押圧部２２の前方にあって、蓋板１２の周縁部の近傍に位置されている。曲線部１０ａから伸びる切��目線１０は、タブ２の第一突出部２３を含めて全てタブ２の外側に位置し、且つ、タブ２の操作部２１方向に延出され、その切れ目線１０の終端部１０ｆ、最終端部１０ｈは、操作部２１の方向に位置されている。【００３９】  切れ目線１０の終端部１０ｆは、図４に示すように、切れ目線１０が初期切断される直線部１０ｄの終端部にあり、且つ、加締部１４の中心線Ｎの後方に位置するよう形成されている。【００４０】  また、切れ目線１０の最終端部１０ｈは、図４に示すように、湾曲線１０ｇ以後につながるもので缶蓋中心部の加締部１４の後方に位置するように形成されている。これは、開口部１１が缶内に折込溝１０ｓを介して、タブ２の加締部１４以後にまで折り込まれることにより、タブ２の中心部より押圧部先端までが缶内に沈み込み、タブが飲み口を邪魔することもなく、また、空気の出入口を口で塞がれることが無いように設けられたものである。【００４１】  また、押圧部２２の第一突出部２３は、第一中心線Ｌにほぼ平行に直線部１０ｄの延長線上に位置するようにタブ２は蓋板１２に取り付けられており、且つ、曲線部１０ｅによって第一突出部２３は開口部１１の切れ目線１０より内側に外れて位置されている。【００４２】  前記直線部１０ｄは、タブ２の操作部２１が引き起こされて第一突出部２３が後退移動し均衡状態になったとき、第一突出部２３が直線部１０ｄの真上か又はその内側近傍に移動してくるような位置に刻印され、更に、タブ２の均衡状態を崩すように操作部２１を更に引き起こすことにより初期切断される開口部１１の切れ目線部分である。【００４３】  つまり、第一突出部２３は曲線部１０ｅを設けたことによって直線部１０ｄから外された位置に設けられており、第一突出部２３が後退移動するとき曲線部１０ｅを通過して直線部１０ｄの真上か又はその内側近傍に移動してくる。【００４４】  図３及び図４に示すように、蓋板１２及び開口部１１には、補強用として、凸状のエンボス１２ａ，１２ｂ，１２ｃが形成されており、また、タブ２の操作部２１が開封のため引き起こされたとき、押圧部２２の、先端突出部２３及び先端突出部２４が、正確な位置に後退移動されるガイド手段として、開口部１１に、押圧部２２の第二突出部２４に係合する直線状のガイド溝１３が形成されている。
具体的には、第二突出部２４が後退移動する際の移動基端から終端までに当たる部分の側面に、ガイド溝１３が形成され、このガイド溝１３に第二突出部２４が係合して押圧部２２の後退移動が第一中心線Ｌに沿って行なわれるようになっている。即ち、第二突出部２４が、第一突出部２３を切れ目線の直線部１０ｄの真上か又はその内側近傍にまで移動の位置決めを確実に行なうための位置保持用として作用する。また、補強用凸部１２ｂの終端は、切れ目線１０の湾曲線部１０ｇの手前まで形成されており、これは、開口部１１の終端折り曲げ部（最終端部１０ｈ）まで容易に折り曲げられるためである。【００４５】  蓋板１２の表面には、タブ加締部１４近傍の操作部２１方向の領域に、ほぼ第一中心線Ｌに直交する方向に延伸する折込線により折込溝１０ｓが設けられ、この折込溝１０ｓを介して開口部１１の缶本体３内へほぼ直角に折り込むことができるようになっている。また、折込溝１０ｓは、切れ目線の最終端部１０ｈから終端部１０ｆまで直線で結び折り込むよう、加締部１４の後方に形成されている。【００４６】  次に、上記のように構成されたイージーオープンエンドの開封動作について説明する。
（ａ）  第一動作段階（図１０及び図１１）
さて、タブ２は、缶の開口前は図１及び図２に示すように蓋板１２に密着するように取り付けられている。この缶の開口を行なうには、タブ２の操作部２１を図１１に示すように蓋板１２から上に向け引き起こす。すると、薄板の取付片２０が蓋板側基端部２０ｂとタブ側基端部２０ｅを結ぶタブ先端移動調節部２０ｄの曲線部２０ｃを介してクランク状に折れ曲がり、タブ先端移動調節部２０ｄにおいて決められた所定の長さに従って、蓋板１２上に定置している押圧部２２の第一突出部２３及び第二突出部２４が後方操作部２１方向に向かって後退移動し、この後退移動は均衡状態になり一時とまる（タブ２が図１１の点線位置から実線位置に移動する）。この際、第一突出部２３は切れ目線１０ｅを通過して直線部１０ｄの真上か又はその内側近傍に移動する。【００４７】  ここまで（第一動作段階）は、操作部２１を引き起こすための力はただ薄板の取付片２０をテコの力で主に折曲げるとゆうだけで、軽く容易に引き起こすことができる。この際、押圧部２２の第二突出部２４が、開口部１１に形成されたガイド溝１３に係合して第一中心線Ｌに沿って平行に正確に移動案内されるので、第一突出部２３が切れ目線１０の直線部１０ｄの真上か又はその内側近傍から外れないように確実に位置決め（案内）される。引き起こされたタブ２の操作部２１は、  取付片２０が折り曲げられているので、操作部２１から指先を外してもそのままの状態で静止する。このため、他の指先に差し替えることができ、開口部１１の初期切断に対して十分な力を掛けることができる。【００４８】  （ｂ）  第二動作段階（図１２）
そして、引き続き操作部２１を引き起こすことにより、図１２に示す状態になる。即ち、後退の均衡状態が変わり、押圧部２２は蓋板側基端部２０ｂを支点として、タブ側基端部１２ｅの中心線Ｌより突出部２３側の半分を支点に、第一突出部２３に押圧力が一点により集中し、破断部１０ｄに向かって下方に押し下げるように押圧し、開口部１１の破断部１０ｄの部分から容易に初期切断される。【００４９】  （ｃ）  第三動作段階（図１３，図１４及び図１５）
そして、開口部１１の直線部１０ｄを切断した後に、図１３に示すように、タブ２が蓋板１２面に対して更に操作部２１を引き起こす。この際、直線部１０ｄが初期切断された後は、押圧部２２の先端部２２ｂも開口部１１上面と接触して開口部１１の押圧に寄与し、押圧部全体で開口部１１が幅方向にわたって押し下げられる。これにより、開口部１１の加締部１４より前方部分の開口部１１が缶本体３内に折り込まれ、引き続き開口部１１の上面に取付けられているタブ２を、ほぼ垂直に引き起こすことにより、切れ目線１０の最終端部１０ｈまで切り裂かれ、最終端部１０ｈから折込溝１０ｓを介し開口部１１は缶内３に完全に折れ曲がる（図１４及び図１５）。
尚、第一動作段階から第三動作段階までを、従来のように、一本の指で連続動作で出来ることは勿論であり、又、片手だけで容易に開口する事ができる。【００５０】  以上、実施形態を示したが、タブ操作部を爪先等で軽く引き起こすことにより、タブはそのままの状態で静止することができるため、全ての人々がタブに十分指先等を掛けることができ、容易に開封することができ、缶容器におけるユニバーサルデザインの一部をなすように考えられたものである。
【発明の効果】
【００５１】  以上説明したように本発明によれば、次のような優れた効果を奏する。
（１）請求項１乃至請求項１３記載の発明によれば、蓋板に対するタブの取付片の一部をタブ先端移動調節部として形成すると共に、取付片のタブ側基端部に取付片の曲げを容易にする折り曲げ調節部を設けたので、タブの引き起こしが非常に軽く、また何処ででも静止することが出来、開口のため引き起こされたタブも、開口部の切れ目線に対し、押圧力が一点により集中することが出来るため、初期切断も軽く、高齢者でも誰でもがバリアフリーに片手で簡単に缶の開口を行なうことができる。
（２）飲料物の内容により、様々な形状や大きさに形成し容易に開口することができる。
（３）タブの長さは、従来のものより短く形成されているため、缶蓋の径を小さく形成することができ、従来のものよりコストを下げることができる。
（４）タブの中心部以後より先端までが缶内に沈み込むため、より一層飲みやすくなる。
（５）請求項１乃至請求項１３記載の発明によれば、開口部を形成する切れ目線を、タブが引き起こされる前は押圧部が切れ目線の内側になり、且つ、タブが引き起こされたときにのみ押圧部が切れ目線の近傍に後退移動する位置になるよう設けたので、缶を落としたとき等においても、不慮に缶蓋が開口されるとゆう心配もない。
（６）請求項７記載の発明によれば、破断部にタブの後退移動を押圧部から操作部方向に沿って案内するガイド手段を設けたので、押圧部の位置決めを確実に行なうことができる。
【図面の簡単な説明】
【００５２】
【図１】本発明の一実施形態に係わる飲料缶用缶蓋を示す平面図である。
【図２】図中１の２−２線矢視断面図である。
【図３】図１中の３−３線矢視断面図である。
【図４】本発明の実施形態に係わる飲料缶用缶蓋の蓋板を示す平面図である。
【図５】本発明の実施形態に係わる飲料缶用缶蓋のタブを示す平面図である。
【図６】図５中の６−６線矢視断面図である。
【図７】図５中の７−７線矢視断面図である。
【図８】図５中の８−８線矢視断面図である。
【図９】図５中の９−９線矢視断面図である。
【図１０】タブを引き起こし、押圧部の第一突出部で破断部の直線部を初期切断が始まる状態を示す平面図である。
【図１１】タブを引き起こし、後退移動させ、均衡状態で静止した状態を示す図１０中の１１−１１線矢視断面図である。
【図１２】更にタブを引き起こし、初期切断をした図１０中の１２−１２線矢視断面図である。
【図１３】初期切断後、更にタブを引き起こし、加締部より前方を折り曲げた状態を湿す断面図である。
【図１４】タブを缶蓋に対してほぼ直線に引き起こし、折込溝を介し中心部以後にある最終端部迄缶内に折り曲げた状態を示す断面図である。
【図１５】本発明の一実施形態に係わる飲料缶の缶蓋が開口された状態を示す平面図である。
【符号の説明】
【００５３】  １  缶蓋
２  タブ
３  缶本体
１０  切れ目線
１０ａ，１０ｂ，１０ｃ  曲線部
１０ｄ  直線部
１０ｅ  曲線部
１０ｆ  終端部
１０ｇ  湾曲線部
１０ｈ  最終端部
１０ｓ  折込溝
１１  開口部
１２  蓋板
１２ａ，１２ｂ，１２ｃ  補強用凸部
１３  ガイド溝
１４  タブ加締部
２０  タブ取付片
２０ａ  蓋板側固着部
２０ｂ  蓋板側基端部
２０ｃ  折り曲げ曲線部
２０ｄ  タブ先端移動調節部
２０ｅ  タブ側基端部
２０ｆ  子孔
２１  タブ操作部
２２  押圧部
２２ａ  押圧部補強部
２２ｂ  タブ先端部
２３  第一突出部
２３ａ  第一突出部補強部
２４  第二突出部
２４ａ  第二突出部補強部
Ｌ  第一中心線
Ｎ  中心線
【図１】
2006225032.tif 000003
【図２】
2006225032.tif 000004
【図３】
2006225032.tif 000005
【図４】
2006225032.tif 000006
【図５】
2006225032.tif 000007
【図６】
2006225032.tif 000008
【図７】
2006225032.tif 000009
【図８】
2006225032.tif 000010
【図９】
2006225032.tif 000011
【図１０】
2006225032.tif 000012
【図１１】
2006225032.tif 000013
【図１２】
2006225032.tif 000014
【図１３】
2006225032.tif 000015
【図１４】
2006225032.tif 000016
【図１５】
2006225032.tif 000017